(57)【要約】【課題】足裏やふくらはぎをマッサージして血行の促進、疲労の回復を図ることができるだけではなく、筋肉を鍛え、足の筋力を増進、増強できるようにする。【解決手段】  足１をマッサージするローラ２を起立状の支持部３に横向きに設ける。ローラ２を、支持部３の両側に左右一対状設けると共に、支持部３の縦軸８を中心にして正逆方向に回動自在に形成する。この場合、支持部３の縦軸８を支持部３の前方に上向き傾斜状に形成するのが良い。また支持部３を前後方向に回動自在に形成すると共に、縦軸８の傾きを支持部３の前後方向に調節自在に形成するのが良い。また本発明は、ベッド１０に着脱自在に形成するのでも良い。【選択図】      図１
2020174929.tif 000002
【特許請求の範囲】
【請求項１】
足をマッサージするローラが起立状の支持部に横向きに設けられている足用の健康器具であって、上記のローラが、上記の支持部の両側に左右一対状設けられ、且つ支持部の縦軸を中心にして正逆方向に回動自在に形成されていることを特徴とする足用の健康器具。
【請求項２】
請求項１記載の足用の健康器具であって、支持部の縦軸が支持部の前方に上向き傾斜状に形成されていることを特徴とする足用の健康器具。
【請求項３】
請求項２記載の足用の健康器具であって、支持部が前後方向に回動自在に形成されていると共に、縦軸の傾きが支持部の前後方向に調節自在に形成されていることを特徴とする足用の健康器具。
【請求項４】
請求項１乃至３の何れかに記載の足用の健康器具であって、ベッドに着脱自在に形成されていることを特徴とする足用の健康器具。
【発明の詳細な説明】
【技術分野】
【０００１】
本発明は、足用の健康器具に関し、更に詳しくは足裏やふくらはぎ等をローラでマッサージできるだけではなく、足の筋肉を鍛えることができるよう形成した足用の健康器具に関するものである。
【背景技術】
【０００２】
従来、この種の健康器具としては、例えば特許文献１、同２記載されているものがある。
【０００３】
特許文献１の従来品は、支持体の両側に側板が対向状に設けられ、この対向する側板に、ローラが架け渡されて設けられている。この従来品は、使用者が腰周り、腕周り、首周り等にローラを圧接させて、回転するローラでこりや疲れをとるものである。
【０００４】
また特許文献２の従来品は、左右の支柱に横棒が架け渡され、横棒の下方に腰マットが設けられている。この従来品の場合は、使用者が仰向けに寝て、例えばふくらはぎを横棒に置き、回転する横棒でふくらはぎをマッサージするのに使用する。
【０００５】
このように従来品は、ローラに足裏やふくらはぎ等を押し当て、足裏等をローラで刺激してマッサージできるのに止まるものであった。
換言すると、従来品は、足裏やふくらはぎ等の疲れを取ることができるのに止まり、足の筋肉を鍛えることに対しては使用できなかった。
【０００６】
而して、加齢に伴い、人は足の筋肉が衰え易くなり、足の筋力の低下は、歩行を困難にし、転倒を招き、日常生活に支障を来たすことになる。
従って、足用の健康器具は、足の疲労を回復できるだけではなく、足の筋肉を鍛えることができ、足の筋力の維持、増進を図ることができるよう形成されているのが望ましい。
【先行技術文献】
【特許文献】
【０００７】
【特許文献１】実用新案登録第３０７１２９９号公報
【特許文献２】特開２００２−５２０９２号公報
【発明の概要】
【発明が解決しようとする課題】
【０００８】
本発明は、このような従来技術の問題点に鑑み、提案されたものである。
従って、本発明の解決しようとする技術的課題は、足裏やふくらはぎをマッサージして血行の促進、疲労の回復を図ることができるだけではなく、筋肉を鍛え、足の筋力を増進、増強できるよう形成した足用の健康器具を提供することにある。
【課題を解決するための手段】
【０００９】
本発明は、上記の課題を解決するため、次のような技術的手段を採る。
即ち、本発明は、図１等に示されるように、足１をマッサージするローラ２が起立状の支持部３に横向きに設けられている足用の健康器具であって、上記のローラ２が、上記の支持部３の両側に左右一対状設けられ、且つ支持部３の縦軸８を中心にして正逆方向に回動自在に形成されていることを特徴とする（請求項１）。
【００１０】
本発明の場合、支持部３は、例えば全体が棒状に形成されたり、或いは左右一対のローラ２が取り付けられる箇所だけ凸段差状に形成されているのでも良く、その形状は自由である。またここで、支持部３の縦軸８を中心にして正逆方向に回動自在とは、右側のローラ２を右足で、左側のローラ２を左足で、使用者が左右のローラ２を交互に踏むと、縦軸８を中心にローラ２を、正回転（右回り）、逆回転（左回り）できるよう形成されている、ということを意味する。
【００１１】
また本発明の足用の健康器具は、図４に示されるように、支持部３の縦軸８が支持部３の前方に上向き傾斜状に形成されているのが好ましい（請求項２）。
【００１２】
なぜなら、これによると、使用者が仰向けに寝た姿勢で、ローラ２を支持部３の斜め上向き後方に無理なく楽に踏むことができるからである。
【００１３】
またこの場合、本発明の健康器具は、支持部３が前後方向に回動自在に形成されていると共に、縦軸８の傾きが支持部３の前後方向に調節自在に形成されているのが好ましい（請求項３）。
【００１４】
なぜなら、これによると、足１を前後方向に動かして運動でき、使い勝手が一層良くなるからである。またこれによれば、縦軸８の傾きを調節できるため、ローラ２を、使用者の身体の大きさ、足１の長さなどに応じて最適な位置、高さに配置して足１を鍛えることができるからである。
【００１５】
また本発明は、ベッド１０に着脱自在に形成されているのが好ましい（請求項４）。
【００１６】
なぜなら、これによれば、ベッド１０の上で、仰向けに寝た姿勢で足１をマッサージしたり、鍛えることができるからである。またこの場合は、不使用時に本発明品をベッド１０から取り外して保管でき、使い勝手が良くなるからである。
【発明の効果】
【００１７】
本発明は、このようにローラが、起立状の支持部を介して左右一対状に設けられていると共に、支持部の縦軸を中心にして正逆方向に回動自在に形成されているものである。
【００１８】
従って、本発明は、足裏やふくらはぎをローラに押し当てたり、擦ったりしてマッサージでき、足裏やふくらはぎの血行の促進、疲労の回復を図ることができる。
【００１９】
また本発明は、左右の足をローラに押し当てた状態で交互に踏む運動を行うことができる。従って、これによれば、足の筋肉を鍛えることができ、脚力を増強、増進できる、という優れた効果を奏する。
【図面の簡単な説明】
【００２０】
【図１】本発明の足用の健康器具の好適な一実施形態を示し、Ａは要部正面図、Ｂは要部平面図である。
【図２】同上健康器具の使用状態時の要部斜視図である。
【図３】同上健康器具の他の実施形態を示す斜視図である。
【図４】同上健康器具の更に他の実施形態を示す要部側面図である。
【発明を実施するための形態】
【００２１】
以下、本発明の好適な一実施形態を、添付図面に従って説明する。
本発明は、図１等に示されるように、足１のマッサージに使用するローラ２が起立状の支持部３の両側に横向きに、左右一対状設けられている。
【００２２】
具体的には、支持部３の支柱状の上部３ａの両側に、ローラ２が側方に水平状に突き出されて設けられている。ローラ２の表面は、この実施形態では足裏等を刺激できるよう凹凸状に形成されている。なお、ローラ２は、表面に滑り止め用のシリコンゴムシートなどが貼られて形成されているのでも良い。
【００２３】
またローラ２は、横軸４を中心に回転すると共に、振動発生モータ５により振動するよう形成されている。振動発生モータ５は、回転軸５ａに錘５ｂが偏心状に設けられている。この振動発生モータ５が、この実施形態では左右の各ローラ２に夫々内蔵され、例えば１００Ｖ交流電源６から給電可能に接続されている。振動発生モータ５は、制御部７からの駆動信号を受けて、例えば低速回転と高速回転が可能になるよう形成されている。
【００２４】
またローラ２は、支持部３の縦軸８を中心にして正逆方向に回動自在に形成されている。ローラ２は、使用者が左右のローラ２を足１で交互に踏んだとき、一定の角度で制止可能になるよう、この実施形態では図１Ｂに示されるよう、支持部３の所定位置にストッパー９が設けられている。従って、これによれば、ローラ２の空回りを防止できるから、その分、使い勝手が良くなるものである。
【００２５】
また支持部３は、この実施形態では図２に示されるよう、ベッド１０の短手方向の側板１０ａに、螺子１１等で着脱自在に形成されている。支持部３は、その下部３ｂにベッド１０の側板１０ａにネジ止めするための長孔１２が上下方向に延びて形成されている。
【００２６】
上記の長孔１２は、この実施形態ではベッド１０の上下の各側板１０ａに、左右に間隔をあけてネジ止めできるよう、支持部３の下部３ｂに、上下に２箇所づつ形成されている。これにより、強い力がローラ２に加わっても、支持部３がずれ落ちすることを防止でき、しっかりと固定できるものである。
【００２７】
また支持部３は、ローラ２の回動トルクを調節できるよう、この実施形態では図１Ａに示されるように、トルクの設定部１３を備えて形成されている。トルクの設定部１３は、ローラ２の回動力を規制するコイルバネ１３ａが支持部３の下部３ｂに、左右のローラ２ごと内蔵されることで実現されている。
【００２８】
コイルバネ１３ａは、筒状部１３ｂに収納され、筒状部１３ｂの一端には、バネ端を係止する蓋状の摘み１３ｃが設けられている。この摘み１３ｃが締め込まれるとコイルバネ１３ａが圧縮されて弾発力が強くなり、ローラ２の回動に大きな強い力が必要になるものである。また摘み１３ｃが緩められるとコイルバネ１３ａの弾発力が弱くなり、ローラ２を楽に回動できるものである。ローラ２の回動力は、支持部３の縦軸８に連結されているスラスター１３ｄを介してコイルバネ１３ａの端部に伝達するよう形成されている。
【００２９】
またこの実施形態の本発明品は、ローラ２の高さが調節自在に形成されている。具体的には、図２、図３に示されるよう、左右のローラ２を縦軸８と一緒に引き上げ、押し下げ可能になるよう支持部３の側面にスリット１４が縦方向に延びて形成されている。このスリット１４は、ローラ２を正逆方向に回動可能になるよう横幅が遊びを有している。
【００３０】
また支持部３は、ローラ２の高さを変更後、ローラ２を変更後の高さで支持できるよう形成されている。この実施形態では、横軸４を支持する部材１５（図１Ａ参照）を備え、この部材１５が支持部３の背面から支持部３の上部３ａ内に挿し込み可能に形成されている。
【００３１】
次にこの実施形態に係る本発明の作用を説明する。
使用者は、例えばベッド１０の上で仰向けに寝て、ローラ２に、足裏を押し当てたり、ふくらはぎを載せ、足１を前後に動かして使用する。
【００３２】
ローラ２は、足１の作用で回転し、また振動発生モータ５の作用で振動するため、このローラ２によって足裏やふくらはぎが刺激され、マッサージされる。これにより、使用者は足１の血行が良くなり、疲れが取れる。
【００３３】
また使用者が、ローラ２を左右の足１で交互に踏むと、図１Ｂに矢示されるように、ローラ２が縦軸８を中心に回動する。この場合、この実施形態の本発明は、摘み１３ｃを操作して回動トルクを設定できるため、設定トルクで回動する。
【００３４】
具体的には、摘み１３ｃを回してコイルバネ１３ａを縮めると、回動トルクが大きくなる。従って、使用者は強い力でローラ２を踏むことになり、足１の筋肉を鍛え易くなる。また摘み１３ｃを緩めると、バネ力が弱まり、回動トルクが小さくなり、ローラ２を楽に回すことができる。
【００３５】
それ故、この実施形態の本発明によれば、使用者の脚力の状態、或いはリハビリの段階に応じて、足１を鍛えることができる、という利点がある。
【００３６】
以上の処において、上例では支持部３がベッド１０の側板１０ａに取り付け可能に形成されているが、本発明の器具はこれに限定されるものではない。即ち、支持部３は、図３に示されるように、ベース部１６を備え、床等に据え置き可能に形成されているのでも良い。
【００３７】
また本発明は、図４に示されるように、支持部３の縦軸８が支持部３の前方に上向き傾斜状に形成されているのでも良い。この本発明の場合は、使用者は仰向けに寝た姿勢で足１を無理なく斜め上向き後方に動かして運動できる。
【００３８】
またこの実施形態の本発明品は、支持部３が前後方向に回動自在に形成されていると共に、縦軸８の傾きが支持部３の前後方向に調節自在に形成されている。
【００３９】
支持部３は、この実施形態では縦軸８の通された上腕部３１と、ベッド１０やベース部１６に固定される下腕部３２とで形成されている。上腕部３１と下腕部３２とは、横向きの連結軸３３で回動可能に連結されている。
【００４０】
また上腕部３１は、締め具３４で任意の角度で固定可能に連結されている。支持部３は、縦軸８の傾きを変えることで、換言すると上腕部３１を傾けることでローラ２の高さを調節可能に形成されている。
【００４１】
またこの実施形態の本発明品は、連結軸３３にコイル形バネ３５が巻装されている。使用者が、コイル形バネ３５の復元力に抗して支持部３を足１で押すと、連結軸３３を中心に上腕部３１が後方に回動するよう形成されている。この場合、コイル形バネ３５のバネ力を変更可能に形成されているのでも良い。この実施形態の本発明によると、脚力をより鍛えることができ、使い勝手が良くなるものである。
【符号の説明】
【００４２】
１      足
２      ローラ
３      支持部
８      縦軸
１０    ベッド
【図１】
2020174929.tif 000003
【図２】
2020174929.tif 000004
【図３】
2020174929.tif 000005
【図４】
2020174929.tif 000006